(57)【要約】【課題】ケーブルの垂れ下がりを解消することができるＫＶＭスイッチを提供し、１人の作業員で複数の装置をサーバラックの１ユニットへ取り付けることを可能にする取付具及びシステムを提供する。【解決手段】ＫＶＭスイッチ１００の本体部３０は、ケーブル３４を保持すると共に水平方向に移動可能なケーブルクランプ３３と、ケーブルクランプ３３を搭載し、本体部３０の奥行方向に移動可能なケーブルステイ３２とを備えるので、ケーブル３４の垂れ下がりを解消することができる。【選択図】図３
2018098513.tif 000002
【特許請求の範囲】
【請求項１】
第１装置が装着された左右のガイドレールと一緒に、当該第１装置と電気的に接続される第２装置をラックの左右の支柱に取り付けるための取付具であって、
第１のネジ孔を含み、前記第１のネジ孔を介して第１ネジを使って前記右のガイドレールと一緒に右側の支柱に締結され、前記右のガイドレールを前記右側の支柱に締結する第３ネジと接触しない形状を有する右側取付部と、
第２のネジ孔を含み、前記第２のネジ孔を介して第２ネジを使って前記左のガイドレールと一緒に左側の支柱に締結され、前記左のガイドレールを前記左側の支柱に締結する第４ネジと接触しない形状を有する左側取付部と
を備えることを特徴とする取付具。
【請求項２】
前記第１のネジ孔の高さと前記第２のネジ孔との高さが互いに異なることを特徴とする請求項１の取付具。
【請求項３】
前記右側取付部及び前記左側取付部の一方は、前記第２装置の側面にネジ止めされており、前記右側取付部及び前記左側取付部の他方は、前記第１装置と前記第２装置との間に接続されるケーブルを配置するケーブル配置領域を介して前記第２装置の他の側面に対向し、
前記取付具は、前記第２装置の他の側面にネジ止めされる側面取付部と、前記側面取付部に固定され、前記ケーブルを上方から覆う上蓋とを備えることを特徴とする請求項１又は２の取付具。
【請求項４】
前記右側取付部と前記左側取付部とは、独立した別々の金具で構成されていることを特徴とする請求項１乃至３のいずれか１項に記載の取付具。
【請求項５】
前記第２装置が取り付けられる底部を備え、
前記底部の右端から前記右側取付部が立設され、前記底部の左端から前記左側取付部が立設されていることを特徴とする請求項１乃至３のいずれか１項に記載の取付具。
【請求項６】
ラックと、
ラックの前面および後面にそれぞれ複数のネジによりネジ止めされる一対のガイドレールと、
前記ラックの前面あるいは後面に取り付けられる電子装置と、
前記電子装置を前記ラックに取り付ける取付具とを備え、
前記取付具は、
前記電子装置を第一ネジによって前記ラックの左右一方側にネジ止めする第一のネジ穴を有し、前記ガイドレールの一方を前記ラックの左右一方側に固定する第二ネジの位置に切り欠きが形成されている第一取付部と、
前記電子装置を第三ネジによって前記ラックの左右他方側にネジ止めする第二のネジ穴を有し、前記ガイドレールの他方を前記ラックの左右他方側に固定する第二ネジの位置に切り欠きが形成されている第二取付部とを有し、
前記電子装置は、前記第一ネジおよび前記第三ネジによって、前記ガイドレールと一緒に前記ラックに固定されることを特徴とするシステム。
【発明の詳細な説明】
【技術分野】
【０００１】
本発明は、取付具及びシステムに関する。
【背景技術】
【０００２】
図１は、サーバラックに搭載可能なＫＶＭスイッチの構成図である。このＫＶＭスイッチは、後方の支柱５に固定され、サーバの切り替えを実行する本体部１と、前方の支柱４に固定され、サーバ切り替え用スイッチを備えるスイッチユニット２とを備えている。スイッチユニット２は本体部１から分離され、ケーブル３を介して本体部１に接続されている。スイッチユニット２にサーバの切り替え指示が入力されると、そのサーバの切り替え指示に応じて本体部１がサーバの切り替えを実行する。
【０００３】
また、従来より、サーバラックに収められる表示装置及びキーボードモジュール（即ち、コンソールドロワ）とＫＶＭスイッチとが知られている（例えば、特許文献１参照）。
【０００４】
図２は、コンソールドロワ７及びＫＶＭスイッチ６をサーバラックに収める状態を示す図である。ここでは、コンソールドロワ７の両側面にガイドレール９が取り付けられている。ガイドレール９はネジ止め用のネジ孔（不図示）が形成されている。ＫＶＭスイッチ６の両側面には、支柱１０にＫＶＭスイッチ６を取り付けるための金具８が設けられている。金具８にはネジ止め用のネジ孔８ａが形成されている。ネジ１２は、支柱１０の貫通孔１１を介して金具８のネジ孔８ａ及びガイドレール９のネジ孔（不図示）に締結される。これにより、コンソールドロワ７及びＫＶＭスイッチ６が支柱１０に固定される。
【０００５】
このように、コンソールドロワ７とＫＶＭスイッチ６とをサーバラックに収める場合、コンソールドロワ７に取り付けられたガイドレール９及びＫＶＭスイッチ６に取り付けられた金具８を一緒に支柱１０にネジ固定する必要がある。このため、１人の作業員がコンソールドロワ７を支え、別の作業員がＫＶＭスイッチ６を支えながらネジ止めを行う。
【先行技術文献】
【特許文献】
【０００６】
【特許文献１】特開２００６−３０２２４５号公報
【発明の概要】
【発明が解決しようとする課題】
【０００７】
ところで、図１では、スイッチユニット２はケーブル３を介して本体部１に接続されている。しかし、ケーブル３はスイッチユニット２と本体部１との間で垂れ下がるため、ケーブル３がサーバラックの下部に進入し、下部の装置にひっかかる問題がある。
【０００８】
また、図２のように、コンソールドロワ７とＫＶＭスイッチ６とをサーバラックに収める場合、１人の作業員がコンソールドロワ７を支え、別の作業員がＫＶＭスイッチ６を支えながらネジ止めを行う。そのため、１人の作業員では、コンソールドロワ及びＫＶＭスイッチをサーバラックへ取り付けることができないという問題がある。
【０００９】
本発明は、ケーブルの垂れ下がりを解消することができるＫＶＭスイッチを提供することを目的とする。また、複数の装置のサーバラックへの取り付けを容易にする取付具及びシステムを提供することを目的とする。
【課題を解決するための手段】
【００１０】
上記目的を達成するため、明細書に開示されたＫＶＭスイッチは、サーバラックに搭載されるＫＶＭ（Ｋ：キーボード、Ｖ：ビデオ、Ｍ：マウス）スイッチであって、サーバ切り替え用のスイッチを備え、前記サーバラックの前方支柱に固定されるスイッチユニットと、前記サーバラックの後方支柱に固定され、前記スイッチユニットにケーブルを介して接続され、前記スイッチユニットからのサーバの切り替え指示に応じてサーバの切り替えを実行する本体部とを備え、前記本体部は、前記ケーブルを保持すると共に水平方向に移動可能な保持部と、前記保持部を搭載し、前記本体部の奥行方向にスライドされる移動部とを備える。
【００１１】
上記目的を達成するため、明細書に開示された取付具は、第１装置が装着された左右のガイドレールと一緒に、当該第１装置と電気的に接続される第２装置をラックの左右の支柱に取り付けるための取付具であって、第１のネジ孔を含み、前記第１のネジ孔を介して第１ネジを使って前記右のガイドレールと一緒に右側の支柱に締結され、前記右のガイドレールを前記右側の支柱に締結する第３ネジと接触しない形状を有する右側取付部と、第２のネジ孔を含み、前記第２のネジ孔を介して第２ネジを使って前記左のガイドレールと一緒に左側の支柱に締結され、前記左のガイドレールを前記左側の支柱に締結する第４ネジと接触しない形状を有する左側取付部とを備える。
【００１２】
上記目的を達成するため、明細書に開示されたシステムは、ラックと、ラックの前面および後面にそれぞれ複数のネジによりネジ止めされる一対のガイドレールと、前記ラックの前面あるいは後面に取り付けられる電子装置と、前記電子装置を前記ラックに取り付ける取付具とを備え、前記取付具は、前記電子装置を第一ネジによって前記ラックの左右一方側にネジ止めする第一のネジ穴を有し、前記ガイドレールの一方を前記ラックの左右一方側に固定する第二ネジの位置に切り欠きが形成されている第一取付部と、前記電子装置を第三ネジによって前記ラックの左右他方側にネジ止めする第二のネジ穴を有し、前記ガイドレールの他方を前記ラックの左右他方側に固定する第二ネジの位置に切り欠きが形成されている第二取付部とを有し、前記電子装置は、前記第一ネジおよび前記第三ネジによって、前記ガイドレールと一緒に前記ラックに固定される。
【発明の効果】
【００１３】
本発明によれば、ケーブルの垂れ下がりを解消することができる。また、本発明によれば、１人の作業員でも複数の装置をサーバラックへ取り付けることができる。
【図面の簡単な説明】
【００１４】
【図１】サーバラックに搭載可能なＫＶＭスイッチの構成図である。
【図２】コンソールドロワ及びＫＶＭスイッチをサーバラックに収める状態を示す図である。
【図３】第１の実施の形態に係るＫＶＭスイッチ（Ｋ：キーボード、Ｖ：ビデオ、Ｍ：マウス）の斜視図である。
【図４】上方から見たＫＶＭスイッチの内部構成を示す図である。
【図５】ＫＶＭスイッチをサーバラックの前方支柱及び後方支柱に取り付けるための取付金具を示す図である。
【図６】ケーブルステイのスライド機構を示す図である。
【図７】（Ａ），（Ｂ）はケーブルステイのスライド機構の変形例を示す図である。
【図８】（Ａ）は、ケーブルクランプの構成図である。（Ｂ）は、図８（Ａ）のＣ方向から見たケーブルクランプ及びケーブルステイの断面図である。
【図９】第２の実施の形態に係るサーバラックの前方支柱及び後方支柱とガイドレールとの構成を示す図である。
【図１０】サーバラックに収められるコンソールドロワ及びＫＶＭスイッチの構成図である。
【図１１】（Ａ）は、ＫＶＭスイッチに取り付けられ、ＫＶＭスイッチをラックに搭載するラックマウントパネルの概略構成図である。（Ｂ）は、前方から見たラックマウントパネルの正面図である。
【図１２】（Ａ）は、ラックマウントパネルの左側面を示す拡大斜視図である。（Ｂ）は、ラックマウントパネルの右側面を示す拡大斜視図である。
【図１３】（Ａ）は、ケーブルカバーを第１左側面の第２取付部に取り付ける状態を示す図である。（Ｂ）は、２つのケーブルカバーを第１左側面に取り付ける状態を示す図である。
【図１４】（Ａ）は、右側面の第２取付部を上ネジを使って右側の後方支柱に固定する状態を示す図である。（Ｂ）は、第２左側面の取付部を下ネジを使って左側の後方支柱に固定する状態を示す図である。
【図１５】コンソールドロア及びＫＶＭスイッチをサーバラックに取り付ける方法を示すフローチャートである。
【図１６】（Ａ）は、独立した取付金具としての右側面、第１左側面及び第２左側面の構成図である。（Ｂ）は、独立した取付金具としての右側面、第１左側面及び第２左側面が取り付けられたＫＶＭスイッチを前方から見た状態を示す図である。
【図１７】ラックマウントパネルの変形例を示す図である。
【発明を実施するための形態】
【００１５】
以下、図面を参照しながら本発明の実施の形態を説明する。
【００１６】
（第１の実施の形態）
図３は、第１の実施の形態に係るＫＶＭスイッチ（Ｋ：キーボード、Ｖ：ビデオ、Ｍ：マウス）の斜視図である。図４は、上方から見たＫＶＭスイッチの内部構成を示す図である。図５は、ＫＶＭスイッチをサーバラックの前方支柱及び後方支柱に取り付けるための取付金具を示す図である。
【００１７】
図３において、ＫＶＭスイッチ１００は、サーバラックの後方支柱２２に取り付けられ、操作対象のサーバを切り替える本体部３０と、サーバラックの前方支柱２１に取り付けられ、サーバ切り替え用スイッチ３１ａを備えるスイッチユニット３１とを備えている。スイッチユニット３１は本体部３０から分離可能であり、ケーブル３４を介して本体部３０に接続されている。スイッチユニット３１のサーバ切り替え用スイッチ３１ａの押下によりサーバの切り替え指示が入力されると、サーバの切り替え指示に応じて本体部３０が指示されたサーバに操作対象のサーバ（不図示）を切り替える。
【００１８】
スイッチユニット３１の両側面には、図５に示すように、サーバラックの前方支柱２１に取り付けるための取付金具２４がネジ２５によって締結される。図５において、取付金具２４は、上面視でＬ字状に曲げられており、スイッチユニット３１の側面に対向する第１取付部２４ａと、第１取付部２４ａから９０度曲げられ、サーバラックの前方支柱２１に取り付けられる第２取付部２４ｂとを備えている。さらに、第１取付部２４ａには、取付金具２４をスイッチユニット３１の側面にネジ止めするためのネジ孔２４ａ１が形成されている。第２取付部２４ｂには、取付金具２４をサーバラックの前方支柱２１にネジ止めするためのネジ孔２４ｂ１が形成されている。
【００１９】
また、本体部３０の両側面には、図５に示すように、サーバラックの後方支柱２２に取り付けるための取付金具２６がネジ２７によって締結される。図５において、取付金具２６は、上面視でＬ字状に曲げられており、本体部３０の側面に対向する第１取付部２６ａと、第１取付部２６ａから９０度曲げられ、サーバラックの後方支柱２２に取り付けられる第２取付部２６ｂとを備えている。さらに、第１取付部２６ａには、取付金具２６を本体部３０の側面にネジ止めするためのネジ孔２６ａ１が形成されている。第２取付部２６ｂには、取付金具２６を本体部３０の後方支柱２２にネジ止めするためのネジ孔２６ｂ１が形成されている。
【００２０】
本体部３０は、図４に示すように、ケーブル３４を支持するケーブルステイ３２（移動部）を内蔵している。ケーブルステイ３２は、上面視でコの字形状であり、本体部３０の両側面に平行に延出する一対の腕部３２ａ（第１腕部）と、腕部３２ａの前端同士を連結する棒状の連結部３２ｂと備えている。スイッチユニット３１が本体部３０に収納された場合に、連結部３２ｂはスイッチユニット３１と平行に位置する。ケーブルステイ３２は、図４のＡ方向（即ち、本体部３０の奥行方向）にスライド可能である。ケーブルステイ３２の連結部３２ｂには、ケーブル３４を把持するケーブルクランプ３３（保持部）が設けられている。ケーブルクランプ３３は、図４のＢ方向（即ち、水平方向）にスライド可能である。
【００２１】
図４に示すように、スイッチユニット３１は、ケーブル３４を接続するためのポート３１ａを有し、本体部３０は、ケーブル３４を接続するためのポート３０ａを有している。本体部３０は、ケーブル３４を保持する保持部３０ｂを備えている。さらに、本体部３０の背面には、不図示のサーバと接続するための複数のシリアルポート３５と、不図示の電源ケーブルが接続される電源投入口３６とが設けられている。本体部３０は、ケーブルステイ３２のスライドを最適な位置で止めるダンパ３７（移動停止部）を備えている。
【００２２】
図６は、ケーブルステイ３２のスライド機構を示す図である。
【００２３】
図６では、ケーブルステイ３２のスライド機構は、ケーブルステイ３２の腕部３２ａと、ダンパ３７とを備える。ダンパ３７は歯車状に形成されており、ケーブルステイ３２の腕部３２ａの上面にダンパ３７と係合する凹凸部３２ａ１が形成されている。また、ケーブルステイ３２の腕部３２ａの後端には、ダンパ３７との接触によりケーブルステイ３２の引き出しを停止するストッパー３２ａ２が形成されている。ケーブルステイ３２は奥行方向（Ａ方向）にスライドする。ダンパ３７が腕部３２ａの上面に形成された凹凸部３２ａ１と係合することにより、ケーブル３４を固定するケーブルクランプ３３が設けられた連結部３２ｂを最適な位置で止めることができる。
【００２４】
図７（Ａ），（Ｂ）はケーブルステイ３２のスライド機構の変形例を示す図である。図７（Ａ）は、上方から見た本体部３０及びケーブルステイ３２の一部を示す。図７（Ｂ）は、斜め前方から見た本体部３０及びケーブルステイ３２の一部を示す。
【００２５】
図７（Ａ）に示すように、ケーブルステイ３２のスライド機構は、ケーブルステイ３２の腕部３２ａと、ダンパ３８（移動停止部）とを備える。ダンパ３８は、本体部３０の側面に設けられ、突起３８ａ１を有する弾性部材（例えば、板ばね）で形成される。ケーブルステイ３２の腕部３２ａの側面に、ダンパ３８の突起３８ａ１と係合する凹凸部３２ａ３が形成されている。また、ケーブルステイ３２の腕部３２ａの後端には、ダンパ３８との接触によりケーブルステイ３２の引き出しを停止するストッパー３２ａ４が形成されている。ケーブルステイ３２は奥行方向（Ａ方向）にスライドする。ダンパ３８が腕部３２ａの側面に形成された凹凸部３２ａ３と係合することにより、ケーブルステイ３２を最適な位置で止めることができる。
【００２６】
図７（Ｂ）に示すように、ケーブルステイ３２のスライド機構は、ケーブルステイ３２の腕部３２ａと、本体部３０の側面に形成された貫通孔３９（第１貫通孔）とを備える。図７（Ｂ）の場合、ケーブルステイ３２の腕部３２ａの側面に等間隔で複数のネジ孔３２ａ５が形成されている。ケーブルステイ３２は奥行方向（Ａ方向）にスライドする。ネジ４０を貫通孔３９を介して１つのネジ孔３２ａ５に締結することで、ケーブルステイ３２を最適な位置で止めることができる。
【００２７】
図８（Ａ）は、ケーブルクランプの構成図である。図８（Ｂ）は、図８（Ａ）のＣ方向から見たケーブルクランプ及びケーブルステイの断面図である。
【００２８】
ケーブルクランプ３３は、例えば、樹脂で構成されている。ケーブルクランプ３３の上面には、ケーブル３４を固定するための複数のフック部４１が形成されている。各フック部４１は、側面視で逆Ｌ字形状であり、ケーブルクランプ３３の上面から垂直に延びる垂直部４１ａと、垂直部４１ａの上端から水平に延びる水平部４１ｂとを備えている。ケーブル３４を固定する際には、複数のフック部４１をたわませて、ケーブル３４をフック部４１の水平部４１ｂとケーブルクランプ３３の上面との間に挟む。
【００２９】
また、ケーブルステイ３２の連結部３２ｂの側面（例えば、スイッチユニット３１に対向する面）には、等間隔で複数の貫通孔３２ｂ１（第２貫通孔）が形成されている。ケーブルクランプ３３は、ケーブルステイ３２の連結部３２ｂの側面に沿って延びる腕部４２（第２腕部）を備えており、腕部４２の先端には、突起４３（図８（Ｂ）参照）が形成されている。突起４３は、連結部３２ｂの側面上の貫通孔３２ｂ１に係合し、ケーブルクランプ３３は連結部３２ｂの所定の位置に固定される。また、腕部４２を撓ませて、突起４３を貫通孔３２ｂ１から取り外すと、ケーブルクランプ３３は、図８（Ａ）のＢ方向（即ち、水平方向）にスライド可能である。
【００３０】
このように、ケーブルステイ３２に取り付けられているケーブルクランプ３３のフック部４１にケーブル３４を挟むことより、ケーブル３４の垂れ下がりを防止している。また、ケーブルクランプ３３は、ケーブル３４の余長調整のために、ケーブルステイ３２上をスライド可能である。ケーブルステイ３２の連結部３２ｂには、ケーブルクランプ３３の突起４３が係合する複数の貫通孔３２ｂ１が形成されているので、ケーブル３４の余長調整のために、ケーブルクランプ３３を任意の位置で止めることができる。
【００３１】
第１の実施の形態によれば、本体部３０は、ケーブル３４を保持すると共に水平方向に移動可能なケーブルクランプ３３と、ケーブルクランプ３３を搭載し、本体部３０の奥行方向に移動可能なケーブルステイ３２とを備えるので、ケーブル３４の垂れ下がりを解消することができる。
【００３２】
（第２の実施の形態）
第２の実施の形態は、コンソールドロワとＫＶＭスイッチとをサーバラックに収める場合を説明する。
【００３３】
図９は、サーバラックの前方支柱及び後方支柱とガイドレールとの構成を示す図である。
【００３４】
サーバラックは、２本の前方支柱２１と、２本の後方支柱２２とを備えている。各前方支柱２１には、部材装着用の複数の貫通孔２１ａが垂直に等間隔で形成されている。同様に、各後方支柱２２には、部材装着用の複数の貫通孔２２ａが垂直に等間隔で形成されている。ガイドレール１０１は、右のガイドレール１０１ｘ及び左のガイドレール１０１ｙを含む。以下、右のガイドレール１０１ｘ及び左のガイドレール１０１ｙで共通する構成については、ガイドレール１０１として説明する。
【００３５】
各々のガイドレール１０１は、１つの前方支柱２１と１つの後方支柱２２との間に固定される。ガイドレール１０１は、２枚のレールが重なるように形成されており、図９のＤ方向（即ち、奥行方向）に伸縮可能である。ガイドレール１０１の先端には、前方支柱２１と対向し、奥行方向と垂直である取付部１０１ａが形成されている。ガイドレール１０１の後端には、後方支柱２２と対向し、奥行方向と垂直である取付部１０１ｂが形成されている。
【００３６】
取付部１０１ａは、２つのネジ１０２によって前方支柱２１にガイドレール１０１を固定するための、上下方向に並んだ２つのネジ孔１０１ｃを備えている。さらに、取付部１０１ａは、２つのネジ孔１０１ｃの間に、ネジ孔１０１ｅを備えている。ネジ孔１０１ｅは、後述するコンソールドロア１１０（図１０参照）を前方支柱２１にネジ止めする際に利用される。
【００３７】
取付部１０１ｂは、２つのネジ１０３（上ネジ１０３ａおよび下ネジ１０３ｂ）によって後方支柱２２にガイドレール１０１を固定するための、上下方向に並んだ３つのネジ孔１０１ｄを備えている。尚、ガイドレール１０１を後方支柱２２に固定する場合には、上及び下のネジ孔１０１ｄが使用され、中央のネジ孔１０１ｄは使用されない。
【００３８】
また、ガイドレール１０１の変形例として、予め中央のネジ孔１０１ｄに仮止めピン（不図示）が差し込まれたガイドレール１０１を用いることができる。この場合、仮止めピンを後方支柱２２の貫通孔２２ａに押し込むことで、ガイドレール１０１を後方支柱２２に仮り止めできる。
【００３９】
図１０は、サーバラックに収められるコンソールドロワ及びＫＶＭスイッチの構成図である。図１０のコンソールドロワおよびＫＶＭスイッチは１Ｕ（ユニット）の装置である。
【００４０】
図１０において、コンソールドロア１１０は、不図示のキーボード、マウス、モニタを一体化した引出し式のコンソールユニットであり、サーバラックに搭載された不図示のサーバ装置などを操作するために用いられる。コンソールドロア１１０は、一対のガイドレール１０１（右のガイドレール１０１ｘ及び左のガイドレール１０１ｙ）を介してサーバラックに搭載されている。コンソールドロア１１０は、一対のガイドレール１０１にスライド可能に係合して保持されている。
【００４１】
コンソールドロア１１０の背面側には複数のケーブルで構成されるケーブル群１１３が接続されている。ケーブル群１１３は中継器１１１に接続されている。ＫＶＭスイッチ１１４の背面側と中継器１１１との間には複数のケーブルで構成されるケーブル群１１５が接続されている。また、コンソールドロア１１０の背面側には、ケーブル群１１３を保持するためのキャリア１１２が連結されている。キャリア１１２は、コンソールドロア１１０の移動に応じて伸縮可能である。
【００４２】
コンソールドロア１１０は、ＫＶＭスイッチ１１４と同じ高さに搭載されている。ＫＶＭスイッチ１１４は、コンソールドロア１１０の背面側に搭載されている。ＫＶＭスイッチ１１４は、後述するラックマウントパネル１２０により、後方支柱２２に固定されている。コンソールドロア１１０は、ケーブル群１１３、中継器１１１及びケーブル群１１５を介してＫＶＭスイッチ１１４に電気的に接続される。
【００４３】
図１１（Ａ）は、ＫＶＭスイッチ１１４に取り付けられ、ＫＶＭスイッチをラックに搭載するラックマウントパネル１２０の概略構成図である。図１１（Ｂ）は、前方から見たラックマウントパネル１２０の正面図である。図１２（Ａ）は、ラックマウントパネル１２０の左側面を示す拡大斜視図である。図１２（Ｂ）は、ラックマウントパネル１２０の右側面を示す拡大斜視図である。
【００４４】
図１１（Ａ）に示すように、ラックマウントパネル１２０は、ＫＶＭスイッチ１１４を搭載する底面１２１（底部）と、底面１２１の右端から垂直に又はＫＶＭスイッチ１１４の右側面と平行に立設される右側面１２２（右側取付部）と、底面１２１の左端から垂直に又はＫＶＭスイッチ１１４の左側面と平行に立設される第１左側面１２３（側面取付部）、第２左側面１２４（左側取付部）及び第３左側面１２５と、底面１２１の前端から垂直に立設される前面１２９と、前面１２９に隣接し底面１２１と平行に前方に突設する突出面１２８とを備えている。ラックマウントパネル１２０は、１枚の金属板をプレス加工することにより形成してもよい。底面１２１には、ＫＶＭスイッチ１１４をネジ止めするための複数のネジ孔１３０が設けられている。
【００４５】
図１１（Ａ）、（Ｂ）及び図１２（Ｂ）に示すように、右側面１２２は、ＫＶＭスイッチ１１４の右側面に取り付けられる第１取付部１２２ａと、第１取付部１２２ａから９０度折り曲げられて右側に延設され、後方支柱２２に取り付けられる第２取付部１２２ｂとを備えている。
【００４６】
第１取付部１２２ａは、右側面１２２をＫＶＭスイッチ１１４の右側面にネジ１４０で締結するための複数のネジ孔１２２ａ１を備えている。第２取付部１２２ｂは、後方支柱２２の貫通孔２２ａを介して右のガイドレール１０１ｘに締結するためのネジ孔１２２ｂ１と、右のガイドレール１０１ｘの取付部１０１ｂの中央のネジ孔１０１ｄに設けられた仮り止め用のピン１６０（図１４（Ａ），（Ｂ）参照）を固定するための孔１２２ｂ２とを備えている。尚、第２取付部１２２ｂは、使用するガイドレールに応じて孔１２２ｂ２を備えていなくてもよい。
【００４７】
第１取付部１２２ａの高さは、後方支柱２２に垂直に配列される３つの貫通孔２２ａの高さに対応し、第２取付部１２２ｂの高さは、後方支柱２２に垂直に配列される２つの貫通孔２２ａの高さに対応する。即ち、第２取付部１２２ｂには、後方支柱２２に垂直に配列される３つの貫通孔２２ａに対応する３つの孔は形成されず、２つの貫通孔２２ａに対応するネジ孔１２２ｂ１，孔１２２ｂ２を備え、ネジ孔１２２ｂ２に対応する貫通孔２２ａの直下の貫通孔２２ａに対応する位置に切り欠き１３１（第１の切り欠き）が形成されている（図１１（Ｂ）、図１２（Ｂ）参照）。
【００４８】
第２取付部１２２ｂは上ネジ１０３ａを使って後方支柱２２及び右のガイドレール１０１ｘの取付部１０１ｂ（図９参照）に締結される。この場合、ネジ孔１２２ｂ１の位置は、右のガイドレール１０１ｘの取付部１０１ｂの最上のネジ孔１０１ｄの位置に対応し、切り欠き１３１の位置が右のガイドレール１０１ｘの取付部１０１ｂの最下のネジ孔１０１ｄの位置に対応する。従って、切り欠き１３１の位置は、最上のネジ孔１０１ｄがネジ止めされる貫通孔２２ａの二つ下の貫通孔２２ａの位置に対応する。
【００４９】
図１１（Ａ）及び図１２（Ａ）に示すように、第１左側面１２３は、ＫＶＭスイッチ１１４の左側面に取り付けられる第１取付部１２３ａと、第１取付部１２３ａの上端から９０度折り曲げられて左側に水平に延設され、ケーブル群１１５がサーバラック内の上方の装置側にはみ出ることを回避するための後述するケーブルカバー１５０（上蓋）を取り付けるための第２取付部１２３ｂとを備えている。
【００５０】
第１取付部１２３ａは、左側面１２３をＫＶＭスイッチ１１４の左側面にネジ１４１で締結するための複数のネジ孔１２３ａ１を備えている。第２取付部１２３ｂは、ケーブルカバー１５０を取り付けるための複数のネジ孔１２３ｂ１を備えている。
【００５１】
図１３（Ａ）は、ケーブルカバー１５０を第１左側面１２３の第２取付部１２３ｂに取り付ける状態を示す図である。ケーブルカバー１５０は、棒状の部材であり、第２取付部１２３ｂに取り付けるためのネジ孔１５０ａを備えている。ネジ１５１をネジ孔１５０ａを介してネジ孔１２３ｂ１に締結することで、ケーブルカバー１５０は、第２取付部１２３ｂに取り付けられる。ケーブルカバー１５０は、ケーブル群１１５がＫＶＭスイッチ１１４が設置される場所の上方に侵入することを防止する。図１３（Ｂ）は、２つのケーブルカバーを第１左側面１２３に取り付ける状態を示す図である。この場合、第１左側面１２３の底部には、第２取付部１２３ｂと対向するように第３取付部（不図示）が形成される。そして、図１３（Ａ）と同様に、ケーブルカバー１５０は、第２取付部１２３ｂに取り付けられる。ケーブルカバー１５２は、ネジ１５１で第３取付部に取り付けられる。このように、ケーブルカバー１５０，１５２をケーブル群１１５の上下に設けることで、ケーブル群１１５がＫＶＭスイッチ１１４が設置される場所の上下に侵入することを防止してもよい。
【００５２】
図１１（Ａ）及び図１２（Ａ）に戻り、第３左側面１２５は、底面１２１の左端から垂直に立設され、ＫＶＭスイッチ１１４の左側面にネジ１４１で締結するためのネジ孔１２５ａ１を備えている。
【００５３】
図１１（Ａ）及び（Ｂ）に示すように、第２左側面１２４は、第１左側面１２３及び第３左側面１２５から左側に張り出して設けられている。図１１（Ｂ）に示すように、第２左側面１２４と、第１左側面１２３及び第３左側面１２５との間には、ケーブル群１１５を配置するためのケーブル配置領域１２６が形成されている。中継器１１１に接続されたケーブル群１１５は、ケーブル配置領域１２６上を通って、ＫＶＭスイッチ１１４の背面側に引き出される。ケーブル配置領域１２６は、底面１２１の一部であるので、ケーブル群１１５がＫＶＭスイッチ１１４が設置される場所の下方に侵入することを防止する。
【００５４】
図１２（Ａ）に示すように、第２左側面１２４は、底面１２１の左端から垂直に立設される壁部１２４ａと、壁部１２４ａから９０度折り曲げられて左側に延設され、後方支柱２２に取り付けられる取付部１２４ｂとを備えている。取付部１２４ｂは、左のガイドレール１０１ｙの取付部１０１ｂの中央のネジ孔１０１ｄに設けられた仮り止め用のピン１６０（図１４（Ａ），（Ｂ）参照）を固定するための孔１２４ｂ１と、後方支柱２２の貫通孔２２ａを介して左のガイドレール１０１ｙに締結するためのネジ孔１２４ｂ２とを備えている。尚、取付部１２４ｂは、孔１２４ｂ１を備えていなくてもよい。
【００５５】
取付部１２４ｂの高さは、後方支柱２２に垂直に配列される２つの貫通孔２２ａの高さに対応する。取付部１２４ｂは、第２取付部１２２ｂよりも１つの貫通孔２２ａの高さ分だけ低く形成されている（図１１（Ｂ）参照）。つまり、図１１（Ｂ）に示すように、孔１２４ｂ１の高さは、孔１２２ｂ２の高さと同一であり、ネジ孔１２４ｂ２の高さは切り欠き１３１の高さと同様である。また、取付部１２４ｂのネジ孔１２２ｂ１に対応する高さに、切り欠き１３５（第２の切り欠き）が形成されている（図１１（Ｂ）参照）。
【００５６】
取付部１２４ｂは下ネジ１０３ｂを使って後方支柱２２及び左のガイドレール１０１ｙの取付部１０１ｂ（図９参照）に締結される。この場合、ネジ孔１２４ｂ２の位置は、左のガイドレール１０１ｙの取付部１０１ｂの最下のネジ孔１０１ｄの位置に対応し、切り欠き１３５の位置が左のガイドレール１０１ｙの取付部１０１ｂの最上のネジ孔１０１ｄの位置に対応する。すなわち、切り欠き１３５の位置は、ネジ孔１２４ｂ２がネジ止めされる貫通孔２２ａの二つ上の貫通孔２２ａの位置に対応する。
【００５７】
図１４（Ａ）は、右側面１２２の第２取付部１２２ｂを上ネジ１０３ａを使って右側の後方支柱２２に固定する状態を示す図であり、図１４（Ｂ）は、第２左側面１２４の取付部１２４ｂを下ネジ１０３ｂを使って左側の後方支柱２２に固定する状態を示す図である。
【００５８】
図１４（Ａ）に示すように、上ネジ１０３ａで、第２取付部１２２ｂを右側の後方支柱２２に固定する。このとき、上ネジ１０３ａは、右側の後方支柱２２の貫通孔２２ａを介して、右のガイドレール１０１ｘの取付部１０１ｂの最上のネジ孔１０１ｄに締結されるので、右のガイドレール１０１ｘが右側の後方支柱２２に固定される。また、図１４（Ｂ）に示すように、下ネジ１０３ｂで、取付部１２４ｂを左側の後方支柱２２に固定する。このとき、下ネジ１０３ｂは、左側の後方支柱２２の貫通孔２２ａを介して、左のガイドレール１０１ｙの取付部１０１ｂの最下のネジ孔１０１ｄに締結されるので、左のガイドレール１０１ｙが左側の後方支柱２２に固定される。
【００５９】
図１４（Ａ）では、下ネジ１０３ｂは、右のガイドレール１０１ｘの取付部１０１ｂ（不図示）を右側の後方支柱２２に固定するために使用されており、第２取付部１２２ｂを右側の後方支柱２２に固定するためには使用されていない。同様に、図１４（Ｂ）では、上ネジ１０３ａは、左のガイドレール１０１ｙの取付部１０１ｂ（不図示）を左側の後方支柱２２に固定するために使用されており、取付部１２４ｂを左側の後方支柱２２に固定するためには使用されていない。
【００６０】
このように、ラックマウントパネル１２０では、取付部１２４ｂを左側の後方支柱２２に固定するための下ネジ１０３ｂの配置と、第２取付部１２２ｂを右側の後方支柱２２に固定するための上ネジ１０３ａの配置とを左右で異ならせることができる。つまり、ＫＶＭスイッチ１１４を左右の後方支柱２２に固定するためのネジ１０３（上ネジ１０３ａ及び下ネジ１０３ｂ）の配置を左右で異ならせることができる。結果として、ＫＶＭスイッチ１１４をサーバラックに取り付ける場合に、取付強度を向上させることができる。
【００６１】
図１５は、コンソールドロア１１０及びＫＶＭスイッチ１１４をサーバラックに取り付ける方法を示すフローチャートである。
【００６２】
まず、作業員は、ネジ１０２及び１０３を使ってガイドレール１０１（右のガイドレール１０１ｘ及び左のガイドレール１０１ｙ）を前方支柱２１と後方支柱２２とに固定する（ステップＳ１）。
【００６３】
その後、作業員は、中継器１１１及びコンソールドロア１１０をガイドレール１０１に装着する（ステップＳ２）。このとき、作業員は、コンソールドロア１１０を支えながら作業を行う。なお、キャリア１１２及びケーブル群１１３は、中継器１１１とコンソールドロア１１０との間に予め装着されている。
【００６４】
次に、作業員は、ケーブル群１１５を中継器１１１に装着する（ステップＳ３）。そして、作業員は、ＫＶＭスイッチ１１４をラックマウントパネル１２０に装着する（ステップＳ４）。
【００６５】
ＫＶＭスイッチ１１４が装着されたラックマウントパネル１２０を後方支柱２２に固定する際に、作業員は、図１４（Ａ）に示す右側の後方支柱２２にガイドレールを固定している上ネジ１０３ａと、図１４（Ｂ）に示す左側の後方支柱２２にガイドレールを固定している下ネジ１０３ｂとを一旦はずす（ステップＳ５）。このとき、図１４（Ａ）に示す右のガイドレール１０１ｘは下ネジ１０３ｂによって固定されており、図１４（Ｂ）に示す左のガイドレール１０１ｙは上ネジ１０３ａによって固定されているので、他の作業員がコンソールドロア１１０やガイドレール１０１を支える必要がない。
【００６６】
そして、作業員は、ＫＶＭスイッチ１１４が装着されたラックマウントパネル１２０を支えながら、図１４（Ａ）に示すように、第２取付部１２２ｂを右側の後方支柱２２に上ネジ１０３ａで締結し、図１４（Ｂ）に示すように、取付部１２４ｂを左側の後方支柱２２に下ネジ１０３ｂで締結する（ステップＳ６）。このとき、第２取付部１２２ｂを右側の後方支柱２２に締結する上ネジ１０３ａは、同時に、右のガイドレール１０１ｘの取付部１０１ｂを右側の後方支柱２２に締結する。つまり、上ネジ１０３ａは、第２取付部１２２ｂ及び右のガイドレール１０１ｘの取付部１０１ｂを右側の後方支柱２２に共締めする。また、取付部１２４ｂを左側の後方支柱２２に締結する下ネジ１０３ｂは、同時に、左のガイドレール１０１ｙの取付部１０１ｂを左側の後方支柱２２に締結する。つまり、下ネジ１０３ｂは、取付部１２４ｂ及び左のガイドレール１０１ｙの取付部１０１ｂを左側の後方支柱２２に共締めする。従って、１人の作業員が、２つ以上の部材（コンソールドロワ及びＫＶＭスイッチ又はサーバ）をサーバラックへ取り付けることができる。
【００６７】
その後、作業員は、ケーブル群１１５をＫＶＭスイッチ１１４に取り付けて（ステップＳ７）、ケーブルカバー１５０を第２取付部１２３ｂに取り付けて（ステップＳ８）、本処理を終了する。
【００６８】
第２の実施の形態では、ＫＶＭスイッチ１１４が一枚の板金で形成された図１１（Ａ）図示のラックマウントパネル１２０に装着されたが、例えば、図１６（Ａ）、（Ｂ）に示すように、ラックマウントパネル１２０の右側面１２２、第１左側面１２３及び第２左側面１２４が独立した取付金具として構成されてもよい。図１６（Ａ）は、独立した取付金具としての右側面１２２、第１左側面１２３及び第２左側面１２４の構成図であり、図１６（Ｂ）は、独立した取付金具としての右側面１２２、第１左側面１２３及び第２左側面１２４が取り付けられたＫＶＭスイッチ１１４を前方から見た状態を示す図である。
【００６９】
図１６（Ａ）の右側面１２２は、独立した取付金具であるため、ラックマウントパネル１２０の底面１２１から立設されていない点で図１１（Ａ）の右側面１２２と異なる。これ以外の構成については、図１６（Ａ）の右側面１２２は、図１１（Ａ）の右側面１２２と同様であるので、その説明は省略する。
【００７０】
図１６（Ａ）の第１左側面１２３も、独立した取付金具であるため、ラックマウントパネル１２０の底面１２１から立設されていない点で図１１（Ａ）の第１左側面１２３と異なる。これ以外の構成については、図１６（Ａ）の第１左側面１２３は、図１１（Ａ）の第１左側面１２３と同様であるので、その説明は省略する。
【００７１】
図１６（Ａ）の第２左側面１２４は、底面１２１ａから立設されており、この金具は正面から見てＬ字状に形成されている。図１６（Ａ）の斜線部１３２は、ＫＶＭスイッチ１１４が取り付けられる領域である。斜線部１３２には、ＫＶＭスイッチ１１４をネジ止めするためのネジ孔１３０が形成されている。図１６（Ｂ）に示すように、底面１２１ａは、ＫＶＭスイッチ１１４の底面の一部と重なる。第２左側面１２４の壁部１２４ａと斜線部１３２との間には、ケーブル群１１５が配置されるケーブル配置領域１２６が形成されている。これ以外の構成については、図１６（Ａ）の第２左側面１２４は、図１１（Ａ）の第２左側面１２４と同様であるので、その説明は省略する。
【００７２】
尚、第２の実施の形態では、コンソールドロワ１１０とＫＶＭスイッチ１１４とがサーバラックに収められる場合を説明したが、この他の装置をラックに収めてもよく、例えばコンソールドロワ１１０と不図示のサーバとがサーバラックに収められてもよい。この場合、サーバをラックに搭載する際に、ラックマウントパネル１２０又は上記取付金具（即ち、図１６（Ａ）の右側面１２２、第１左側面１２３及び第２左側面１２４）を適用できる。
【００７３】
また、図１１（Ａ）のラックマウントパネル１２０では、右側に右側面１２２が形成され、左側に第１左側面１２３、第２左側面１２４及び第３左側面１２５が形成されているが、例えば、図１７に示すように、ラックマウントパネル１２０の右側に第１左側面１２３、第２左側面１２４及び第３左側面１２５と同様の機能を有する第１右側面１２３ｘ、第２右側面１２４ｘ及び第３右側面１２５ｘが形成され、左側に右側面１２２と同様の機能を有する左側面１２２ｘが形成されてもよい。この場合、ケーブル配置領域１２６は、ＫＶＭスイッチ１１４の右側面と第２右側面１２４ｘとの間に形成される。また、図１６（Ａ）と同様に、第１右側面１２３ｘ、第２右側面１２４ｘ及び左側面１２２ｘがそれぞれ独立した取付金具であってもよい。
【００７４】
第２の実施の形態によれば、右側面１２２の第２取付部１２２ｂが、上ネジ１０３ａを使って右のガイドレール１０１ｘと一緒に右側の後方支柱２２に締結され、第２左側面１２４の取付部１２４ｂが、下ネジ１０３ｂを使って左のガイドレール１０１ｙと一緒に左側の後方支柱２２に締結される。そして、切り欠き（１３１，１３５）によって、右側面１２２の第２取付部１２２ｂが、右のガイドレール１０１ｘを右側の後方支柱２２に締結する下ネジ１０３ｂに接触しないように構成されており、第２左側面１２４の取付部１２４ｂが、左のガイドレール１０１ｙを左側の後方支柱２２に締結する上ネジ１０３ａに接触しないように構成されている。
【００７５】
従って、右のガイドレール１０１ｘは下ネジ１０３ｂによって固定され、左のガイドレール１０１ｙは上ネジ１０３ａによって固定されており、ＫＶＭスイッチ１１４を後方支柱に取り付ける際にこれらのネジを取り外す必要がないので、ＫＶＭスイッチ１１４を左右の後方支柱２２に取り付ける際に作業員がコンソールドロア１１０やガイドレール１０１を支える必要がない。また、ＫＶＭスイッチ１１４を左右の後方支柱２２に取り付ける際には、右のガイドレール１０１ｘを右側の後方支柱２２に締結する下ネジ１０３ｂや左のガイドレール１０１ｙを左側の後方支柱２２に締結する上ネジ１０３ａがＫＶＭスイッチ１１４の取り付けの邪魔にならないので、１人の作業員が、２つ以上の部材（コンソールドロワ及びＫＶＭスイッチ又はサーバ）をサーバラックへ取り付けることができる。
【００７６】
尚、本発明は、上述した実施の形態に限定されるものではなく、その要旨を逸脱しない範囲内で種々変形して実施することが可能である。
【符号の説明】
【００７７】
２１  前方支柱
２２  後方支柱
３０  本体部
３１  スイッチユニット
３２  ケーブルステイ
３３  ケーブルクランプ
３４  ケーブル
３７  ダンパ
１００  ＫＶＭスイッチ
１０１  ガイドレール
１２０  ラックマウントパネル
１２１  底面
１２２  右側面
１２３  第１左側面
１２４  第２左側面
１２５  第３左側面
【図１】
2018098513.tif 000003
【図２】
2018098513.tif 000004
【図３】
2018098513.tif 000005
【図４】
2018098513.tif 000006
【図５】
2018098513.tif 000007
【図６】
2018098513.tif 000008
【図７】
2018098513.tif 000009
【図８】
2018098513.tif 000010
【図９】
2018098513.tif 000011
【図１０】
2018098513.tif 000012
【図１１】
2018098513.tif 000013
【図１２】
2018098513.tif 000014
【図１３】
2018098513.tif 000015
【図１４】
2018098513.tif 000016
【図１５】
2018098513.tif 000017
【図１６】
2018098513.tif 000018
【図１７】
2018098513.tif 000019